(57)【特許請求の範囲】
【請求項１】
販売商品を収納可能な窪み（１１）を有する透明なプラスチック製収納ケース（１０）と、商品情報を記載した背面台紙（２０）とからなり、追加情報を記載したシート（３０）を収納することが可能なポケット部（３１）を設けた、表示情報の追加変更が可能なブリスターパックであって、
前記ポケット部の１辺が前記収納ケース（１０）と接続しており、前記ポケット部の他の３辺が２つのフラップ片（３３，３４）と１本の差し込み片（３６）からなり、この差し込み片（３６）は前記背面台紙（２０）にある１本のスリット（２１）に挿入可能である
ことを特徴とするブリスターパック。
【請求項２】
販売商品を収納可能な窪み（１１）を有する透明なプラスチック製収納ケース（１０Ａ）と、商品情報を記載した背面台紙（２０Ａ）とからなり、追加情報を記載したシート（３０Ａ）を収納することが可能なポケット部（３１Ａ）を設けた、表示情報の追加変更が可能なブリスターパックであって、
前記ポケット部の１辺が前記収納ケース（１０Ａ）と接続しており、前記ポケット部の他の３辺が３本の差し込み片（３６Ａ，３８，４０）からなり、この差し込み片は前記背面台紙にある３本のスリット（２１Ａ，２２，２３）に挿入可能である
ことを特徴とするブリスターパック。
【請求項３】
販売商品を収納可能な窪み（１１）を有する透明なプラスチック製収納ケース（１０Ｂ）と、商品情報を記載した背面台紙（２０Ｂ）とからなり、追加情報を記載したシート（３０Ｂ）を収納することが可能なポケット部（３１Ｂ）を設けた、表示情報の追加変更が可能なブリスターパックであって、
前記ポケット部の１辺が前記収納ケース（１０Ｂ）と接続しており、前記ポケット部の他の３辺が１つのフラップ片（４２）と２本の差し込み片（３８Ｂ，４０Ｂ）からなり、この差し込み片は前記背面台紙にある２本のスリット（２２Ｂ，２３Ｂ）に挿入可能である
ことを特徴とするブリスターパック。
【請求項４】
販売商品を収納可能な窪み（１１）を有する透明なプラスチック製収納ケース（１０Ｃ）と、商品情報を記載した背面台紙（２０Ｃ）とからなり、追加情報を記載したシート（３０Ｃ）を収納することが可能なポケット部（３１Ｃ）を設けた、表示情報の追加変更が可能なブリスターパックであって、
前記ポケット部の１辺が前記収納ケース（１０Ｃ）と接続しており、前記ポケット部の他の３辺が１本の差し込み片（３６Ｃ）と、２本のスリット（４３，４４）からなり、この差し込み片（３６Ｃ）は前記背面台紙にある１本のスリット（２１Ｃ）に挿入可能であり、２本のスリット（４３，４４）は収納ケース側にある差し込み片（１７，１９）を受け入れ可能である
ことを特徴とするブリスターパック。
【請求項５】
販売商品を収納可能な窪み（１１）を有する透明なプラスチック製収納ケース（１０Ｄ）と、商品情報を記載した背面台紙（２０Ｄ）とからなり、追加情報を記載したシート（３０Ｄ）を収納することが可能なポケット部（３１Ｄ）を設けた、表示情報の追加変更が可能なブリスターパックであって、
前記ポケット部が前記収納ケースと分離しており、前記ポケット部の４辺が２つのフラップ片（４６，４７）と２本の差し込み片（３８Ｄ，４０Ｄ）からなり、この差し込み片（３８Ｄ，４０Ｄ）は収納ケース側にある２本のスリット（６０，６１）に挿入可能である
ことを特徴とするブリスターパック。
【請求項６】
販売商品を収納可能な窪み（１１）を有する透明なプラスチック製収納ケース（１０Ｅ）と、商品情報を記載した背面台紙（２０Ｅ）とからなり、追加情報を記載したシート（３０Ｅ）を収納することが可能なポケット部（３１Ｅ）を設けた、表示情報の追加変更が可能なブリスターパックであって、
前記ポケット部が前記収納ケースと分離しており、前記ポケット部の４辺が１つのフラップ片（４９）と３本の差し込み片（３８Ｅ，４０Ｅ，４８）からなり、この差し込み片（３８Ｅ，４０Ｅ，４８）は前記収納ケース及び前記背面台紙側にある３本のスリット（６０Ｅ，６１Ｅ，６２）に挿入可能である
ことを特徴とするブリスターパック。
【請求項７】
ブリスターパックの完成時において、前記ポケット部（３１〜３１Ｅ）に収納された前記追加情報シート（３０〜３０Ｅ）は四方が閉鎖されている請求項１〜６のいずれかに記載のブリスターパック。
【請求項８】
前記閉鎖は前記ポケット部を形成するプラスチックシートのフラップ片（３３，３４；４２；４６，４７）が折り畳まれること及び抜け止め（３５；３７，３９；１６，１８；３５Ａ，３５Ｃ）を有する差し込み片（３６；３８，４０；３８Ｂ，４０Ｂ；１７，１９；３８Ｄ，４０Ｄ；３８Ｅ，４０Ｅ；３６Ａ，３６Ｃ，４８）が対応位置にある相手側スリット（２１；２１Ａ，２２，２３；２２Ｂ，２３Ｂ；２１Ｃ，４３，４４；６０，６１；６０Ｅ，６１Ｅ；６２）に挿入されることによる請求項７記載のブリスターパック。
【請求項９】
販売商品を収納可能な窪み（１１）を有する透明なプラスチック製収納ケース（１０）と、商品情報を記載した背面台紙（２０Ｆ）とからなるブリスターパックにおいて、付随的物品を収納することが可能な箱形ポケット部（３１Ｆ）を設けた、付随的物品の追加が可能なブリスターパックであって、
前記箱形ポケット部（３１Ｆ）が、前記背面台紙（２０Ｆ）とつながる箱の底面形成部（５１）と、四角形状の正面形成部（５２）と、この正面形成部（５２）から左右に連続して直角三角形の左右側面形成部（５３、５４）と、前記正面形成部（５２）及び左右側面形成部（５３、５４）から伸びる抜け止め付きの差し込み片（３８Ｆ、４０Ｆ）からなり、
これらの差し込み片は、前記背面台紙の側に設けられた水平スロット（２１Ｆ）及び垂直スロット（２２Ｆ，２３Ｆ）に挿入可能である
ことを特徴とするブリスターパック。
【請求項１０】
販売商品を収納可能な窪み（１１）を有する透明なプラスチック製収納ケース（１０）と、商品情報を記載した背面台紙（２０Ｇ）とからなるブリスターパックにおいて、付随的物品を収納することが可能な箱形ポケット部（３１Ｇ）を設けた、付随的物品の追加が可能なブリスターパックであって、
前記箱形ポケット部（３１Ｇ）が、前記背面台紙（２０Ｇ）の端部に設けられた箱の底面形成部（７０）、正面形成部（７１）、平面形成部（７２）と、前記正面形成部（７１）の左右に設けられた左側面形成部（７３）、右側面形成部（７４）と、前記底面形成部（７０）及び前記平面形成部（７２）の左右に設けられた折り込み片（７５、７６、７７、７８）と、前記左側面形成部（７３）及び前記右側面形成部（７４）の左右に設けられた抜け止め付きの差し込み片（３８Ｇ、４０Ｇ）と、前記平面形成部（７２）の下方に設けられた抜け止め付きの差し込み片（３５Ｇ）とからなり、
前記左側面形成部（７３）及び前記右側面形成部（７４）の前記差し込み片（３８Ｇ、４０Ｇ）が前記背面台紙の側に設けられた垂直スロット（２２Ｇ、２３Ｇ）に挿入可能であり、前記平面形成部（７２）の前記差し込み片（３５Ｇ）は前記背面台紙の側に設けられた水平スロット（２１Ｇ）に挿入可能である
ことを特徴とするブリスターパック。
【発明の詳細な説明】
【技術分野】
【０００１】
本発明は、パッケージを破壊したり、修正シールを使用しなくても表示情報、付随的物品等の追加変更が可能なブリスターパックに関する。
【背景技術】
【０００２】
ブリスターパック(Blister Pack)は、透明な収納ケースと背面台紙からなり、そのまま展示販売される包装形態の一種である。日本では、１９６０年頃アメリカから導入され、１９６５年頃に定着したといわれている。例えば、下記特許文献１に示すような発明が知られている。
【０００３】
なお、背面台紙に代えて、または背面台紙を使用しつつ併せて背面もプラスチックシートで形成することがある。背面台紙のような厚紙を使用しない場合も商品表示のために背面に何らかの印刷紙を挿入するのが普通であるので、本明細書では、これも広い意味でブリスターパックに含める。この場合、「背面台紙」に相当するのは、印刷紙又は背面側のプラスチックシートである（後記する第５実施例及び第６実施例参照）
【０００４】
従来のブリスターパックは、背面台紙に対して収納ケースが末端の折り返し圧着やホッチキス針止めにより、一体化されている。背面台紙には、収納された商品の説明（商標、メーカー名、希望販売価格、使用規格、使用方法、特長など）が予め印刷されているのが普通である。そのため、例えば、値段の変更があったり、規格に変更があったり、販売店の個別情報を加えたいと思ったり、付随的物品（例えば、オマケ等の景品）を追加・変更したいと思ったりしても、台紙そのものを変更することができず、仕方なく、上からシールや粘着テープで貼り付けて修正・付加しているのが実情である。
【特許文献１】特開平９−２１６６６０号公報
【発明の開示】
【発明が解決しようとする課題】
【０００５】
そのような修正シールや粘着テープは、商品を見苦しくするばかりでなく、商品に対する信頼性をも損なうものである。また、シールの場合、消費者が店頭においていたずら目的で古いシールを剥がしたり、その上に新しいシールを貼り付ける等の変更を加えることもあり得る。
【０００６】
本発明は、製品情報や個別販売店に関する追加情報、付随的物品等を、販売店はパッケージを破壊したり、修正シールを使用しなくても組み込むことのできるが、消費者はいたずら目的で容易に組み込めないようなブリスターパックを提供することを目的とする。
【０００７】
なお、本発明はもともと、販売店における事後的な組み込みを目的として開発されたが、生産者が本発明を自分自身の目的に利用することを排除するものではない。例えば、本発明の付随的物品を収納する機能を使用して生産者自身が自己の商品の一部を組み込むような場合である。
【課題を解決するための手段】
【０００８】
本発明は、販売商品を収納可能な窪みを有する透明なプラスチック製収納ケースと、商品情報等を記載した背面台紙とからなるブリスターパックにおいて、追加情報を記載したシートを収納することが可能なポケット部を設けたことを特徴とするブリスターパックである。
【０００９】
また、本発明は、販売商品を収納可能な窪みを有する透明なプラスチック製収納ケースと、商品情報を記載した背面台紙とからなるブリスターパックにおいて、付随的物品を収納することが可能な箱形ポケット部を設けたことを特徴とする付随的物品の追加・変更が可能なブリスターパックである。
【発明の効果】
【００１０】
本発明によれば、プラスチックケース及びポケット部は透明なプラスチックで一体形成されているので、追加情報シートは透明プラスチックを介して、読み取り可能である。見苦しい修正シールなどはもはや必要がなくなる。また、透明プラスチックによりカバーされているので、シートが汚れることもない。さらに、好ましい実施態様では、追加情報シートはポケット部内で四方が折り畳まれているので、店頭において、いたずら目的で取り外される危険もない。
【発明を実施するための最良の形態】
【００１１】
追加情報シートを収納可能なポケット部は、収納ケースと一体形成してもよいし、分離して形成してもよい。一体成形すれば、製造や運搬が容易となる利点がある。
【００１２】
ブリスターパックの完成時において、ポケット部に収納された追加情報シートは四方が閉鎖されていることが好ましい。そうすることにより、販売店以外の者が追加情報シートを抜き取ったり、変更したりするいたずらを防ぐことができる。
【００１３】
前記閉鎖は、ポケット部を形成するプラスチックシートのフラップ片が折り畳まれることによるか又は、抜け止めを有する差し込み片が対応位置にある相手側スリットに挿入されることによるのが好ましい。
【００１４】
ある好ましい実施態様（後記第１実施例）では、ポケット部の１辺が収納ケースと接続しており、ポケット部の他の３辺が２つのフラップ片と１本の差し込み片からなり、この差し込み片は背面台紙にある１本のスリットに挿入可能である。
【００１５】
別の実施態様（後記第２実施例）では、ポケット部の１辺が収納ケースと接続しており、ポケット部の他の３辺が３本の差し込み片からなり、この差し込み片は背面台紙にある３本のスリットに挿入可能である。
【００１６】
さらに別の実施態様（後記第３実施例）では、ポケット部の１辺が収納ケースと接続しており、ポケット部の他の３辺が１つのフラップ片と２本の差し込み片からなり、この差し込み片は背面台紙にある２本のスリットに挿入可能である。
【００１７】
さらに別の実施態様（後記第４実施例）では、ポケット部の１辺が収納ケースと接続しており、ポケット部の他の３辺が１本の差し込み片と、２本のスリットからなり、この差し込み片は背面台紙にある１本のスリットに挿入可能であり、２本のスリットは収納ケース側にある差し込み片を受け入れ可能である。
【００１８】
さらに別の実施態様（後記第５実施例）では、ポケット部が収納ケースと分離しており、ポケット部の４辺が２つのフラップ片と２本の差し込み片からなり、この差し込み片は収納ケース側にある２本のスリットに挿入可能である。
【００１９】
さらに別の実施態様（後記第６実施例）では、ポケット部が収納ケースと分離しており、ポケット部の４辺が１つのフラップ片と３本の差し込み片からなり、この差し込み片は収納ケース及び台紙側にある３本のスリットに挿入可能である。
【００２０】
さらに別の実施態様（後記第７実施例）では、前記箱形ポケット部が、背面台紙とつながる箱の底面形成部と、四角形状の正面形成部と、正面形成部から左右に連続して直角三角形の左右側面形成部と、正面形成部及び左右側面形成部から伸びる抜け止め付きの差し込み片からなり、これらの差し込み片は、背面台紙の側に設けられた水平スロット及び垂直スロットに挿入可能である。
【００２１】
さらに別の実施態様（後記第８実施例）では、前記箱形ポケット部が、背面台紙の端部に設けられた箱の底面形成部、正面形成部、平面形成部と、正面形成部の左右に設けられた左側面形成部、右側面形成部と、底面形成部及び平面形成部の左右に設けられた折り込み片と、左側面形成部及び右側面形成部の左右に設けられた抜け止め付きの差し込み片と、平面形成部の下方に設けられた抜け止め付きの差し込み片とからなり、左側面形成部及び右側面形成部の差し込み片が背面台紙の側に設けられた垂直スロットに挿入可能であり、平面形成部の差し込み片は背面台紙の側に設けられた水平スロットに挿入可能である。
【実施例１】
【００２２】
以下、添付の図面に基づき、本発明の実施例を説明する。
【００２３】
図１は、本発明の第１実施例に係るブリスターパックの斜視図である。図２（ａ）は、その組立過程を示す背面図、（ｂ）は、組立後の背面図である。
【００２４】
本発明のブリスターパックも、従来技術と同様に収納ケース１０と背面台紙２０を有する。従来技術と異なるのは、追加情報シート３０が別に用意されており、その追加情報シートを収容するためのポケット部３１が収納ケース１０に設けられていることである。
【００２５】
背面台紙２０は、ほぼ従来のものと同じであるが、下記する差込み片挿入用のスリット２１が設けられている点が異なる。この台紙には、製品メーカーが予め製品に関する情報（商標、価格、使用法、特長、等−図示せず）を印刷しているのが普通である。
【００２６】
収納ケース１０は、商品を収納する窪み１１を有するプラスチックシートであり、図１及び２では、窪み１１は下方３／４ぐらいを占めている。図２（ａ）に示すように、プラスチックシートの上辺及び左右辺には短い延長部１２，１３，１４が形成されている。パッケージの完成時には、この延長部が折り返され、台紙を挟み込むことができるようになっている。挟み込んだ後でホッチキス針により固定することもある。
【００２７】
プラスチックシートの下方にも短い延長部１５があるが、さらにそれに続けて、追加情報シート３０を収納することのできるポケット部３１が一体形成されている。
【００２８】
追加情報シート３０には、変更された値段や規格に関する情報や各販売店に関する独自情報等（図示せず）が予め印刷されている。
【００２９】
ポケット部３１は、本体と、その両側のフラップ片３３，３４と、本体から下方へ突出する抜止め３５付きの差込み片３６からなる。
【００３０】
図２（ｂ）はこのパッケージを組み立てた状態を示す。台紙２０が収納ケース１０の背後に挿入されて、プラスチックシートの延長部の折り返し１２−１５により、固定されている。さらに、ポケット部３１の本体３２に追加情報シート３０が当てられ、左右フラップ３３，３４が本体部３２に向かって内側に折り畳まれる。その後、差し込み片３６が台紙のスリット２１に挿入されて完成する。
【００３１】
差込み片３６には抜け止め３５があるので、一度スリット２１に挿入された後では、簡単には抜けない。抜け止め３５は、差込み片３６の幅よりも広幅の部分を少なくとも１個所備え、頭部は先すぼまりとなっている。ポケット部３１は、プラスチックシートであるから、挿入時は抜け止め３５が変形しながらスリット２１を通過するが、挿入後は復元するために取り出しが容易ではない。
【００３２】
プラスチックケース１０及びポケット部３１は透明なプラスチックで一体形成されているので、追加情報シート３０はポケット部本体３２を介して、読み取り可能である。また、ポケット部本体３２によりカバーされているので、汚れることもない。さらに、追加情報シート３０はポケット部３１内で四方が折り畳まれているので、いたずら目的で取り外される危険もない。
【実施例２】
【００３３】
図３は、ポケット部の第２実施例である。図３（ａ）は、その組立過程を示す背面図、（ｂ）は、組立後の背面図である。
【００３４】
第２実施例が第１実施例と異なるのは、ポケット部３１Ａの本体３２Ａの左右にフラップがなく、本体から左右外方へ突出する抜止め３７，３９付きの差し込み片３８，４０が設けられていることである。
【００３５】
このポケット部３１Ａに対応して、台紙２０Ａ側には水平方向のスリット２１Ａが１本、垂直方向のスリット２２，２３が２本形成されている。パッケージ完成時には、ポケット部本体３１Ａに追加情報シート３０Ａが当てられ、左右差し込み片３８，４０が垂直スリット２２，２３に挿入され、下方の差込み片３６Ａが水平スリット２１Ａに挿入される。
【実施例３】
【００３６】
図４は、ポケット部の第３実施例である。図４（ａ）は、その組立過程を示す背面図、（ｂ）は、組立後の背面図である。
【００３７】
第３実施例が第２実施例と異なるのは、ポケット部３１Ｂの本体３２Ｂの下方に突出する差込み片がなく、下方へはフラップ４２が形成されていることである。
【００３８】
このポケット部３１Ｂに対応して、台紙２０Ｂ側には垂直方向のスリット２２Ｂ，２３Ｂが２本形成されている。パッケージ完成時には、ポケット部本体３２Ｂに追加情報シート３０Ｂが当てられ、下方フラップ４２が内側に折り畳まれ、左右差込み片３８Ｂ，４０Ｂが垂直スリット２２Ｂ，２３Ｂに挿入される。
【実施例４】
【００３９】
図５は、ポケット部の第４実施例である。図５（ａ）は、その組立過程を示す背面図、（ｂ）は、組立後の背面図である。
【００４０】
第４実施例が第２実施例と異なるのは、ポケット部３１Ｃの本体３２Ｃの左右フラップがなく、下方へは抜け止め３５Ｃ付きの差し込み片３６Ｃが形成されていること、及び収納ケース側１０Ｃに外方へ伸びる抜け止め１６，１８付きの差し込み片１７，１９が形成されていることである。
【００４１】
このポケット部３１Ｃに対応して、台紙２０Ｃ側には水平方向のスリット２１Ｃが１本形成されている。さらに、ポケット部３１Ｃの左右縁部にも垂直方向のスリット４３，４４が２本も受けられている。
【００４２】
パッケージ完成時には、ポケット部本体３２Ｃに追加情報シート３０Ｃが当てられ、下方の差し込み片が台紙のスリット２１Ｃに挿入され、収納ケースの左右差込み片１７，１９が向きを変えてポケット部の垂直スリット４３，４４に挿入される。
【実施例５】
【００４３】
図６は、本発明のブリスターパックの第５実施例である。（ａ）は、ポケット部を有するブリスターパックの斜視図、（ｂ）は、ポケット部の背面図である。
【００４４】
第５実施例がこれまでの第１〜第４実施例と異なるのは、ポケット部３１Ｄが収納ケース１０Ｄと一体成形されていないことである。さらに、背面台紙に代えて、または背面台紙を使用しつつ併せて背面もプラスチックシートで形成されていることである。
【００４５】
ポケット部３１Ｄは本体３２Ｄと、本体３２Ｄの左右に突出する抜止め付き差込み片３８Ｄ，４０Ｄと、本体の上下に連続するフラップ片４６，４７からなる。
【００４６】
パッケージ完成時には、ポケット部本体３２Ｄに追加情報シート３０Ｄが当てられ、上下フラップ４６，４７が内側に折り畳まれ、左右差込み片３８Ｄ，４０Ｄが収納ケース１０Ｄ側に設けられた２本の垂直スリット６０，６１に向きを変えて挿入される。図示の例では、ポケット部３１Ｄは収納ケース１０Ｄの表側に設けられている。なお、差込み片３８Ｄ，４０Ｄを上下に設け、フラップ片４６，４７を左右に設けることもできる。
【実施例６】
【００４７】
図７は、ポケット部の第６実施例である。（ａ）は、ポケット部を有するブリスターパックの斜視図、（ｂ）は、ポケット部の背面図である。
【００４８】
第６実施例はも第５実施例と同様に、ポケット部が収納ケースと一体成形されていない。さらに、背面台紙に代えて、または背面台紙を使用しつつ併せて背面もプラスチックシートで形成されている。
【００４９】
ポケット部３１Ｅは本体３２Ｅと、本体の左右及び上方に突出する抜止め付き差込み片３８Ｅ，４０Ｅ，４８と、本体の下部に連続するフラップ片４９からなる。
【００５０】
パッケージ完成時には、ポケット部の本体３２Ｅに追加情報シート３０Ｅが当てられ、下部フラップ４９が内側に折り畳まれ、左右差し込み片３８Ｅ，４０Ｅが収納ケースの２本のスリット６０Ｅ，６１Ｅに挿入され、上方差し込み片４８が台紙の水平スリット６２に挿入される。図示の例では、ポケット部３１Ｅは収納ケースの裏側（すなわち台紙２０Ｅ側）に設けられている。
【実施例７】
【００５１】
図８は、ポケット部の第７実施例である。（ａ）は、ポケット部を有するブリスターパックの背面で、ポケット部３１Ｆのみを展開した展開図、（ｂ）は、ポケット部の背後から見た斜視図である。
【００５２】
この実施例では、ポケット部３１Ｆは背面台紙２０Ｆに連続して形成される三角柱状のものである。ここで、背面台紙２０Ｆは紙でもよいが、プラスチックで一体成形する方が好ましい。
【００５３】
ポケット部３１Ｆは、背面台紙２０Ｆから箱の底面形成部５１を経て、四角形状に箱の正面形成部５２が形成されている。この箱の正面形成部５２から左右に連続して直角三角形の箱の左右側面形成部５３、５４が形成されている。さらに、正面形成部５２及び左右側面形成部５３、５４から抜け止め付きの差し込み片３５Ｆ，３８Ｆ、４０Ｆが合計３本形成されている。一方、背面台紙の側には水平スロット２１Ｆが１本、垂直スロット２２Ｆ，２３Ｆが２本、形成されている。
【００５４】
パッケージ完成時には、箱左右側面形成部５３、５４の差し込み片３８Ｆ、４０Ｆが垂直スロット２２Ｆ，２３Ｆに挿入され、箱正面形成部５２の差し込み片３５Ｆが水平スロット２１Ｆに挿入される。その結果、三角柱状の箱形ポケットが形成される。この箱形ポケットは、例えば付属品（例えば、コード類）を収納するのに使用される。
【実施例８】
【００５５】
図９は、ポケット部の第８実施例である。（ａ）は、ポケット部を有するブリスターパックの背面で、ポケット部のみを展開した展開図、（ｂ）は、ポケット部の背後から見た斜視図である。
【００５６】
この実施例では、ポケット部３１Ｇは背面台紙２０Ｇに連続して形成される立方体状の箱形ポケットである。ここで、背面台紙は紙でもよいが、プラスチックで一体成形する方が好ましい。
【００５７】
ポケット部３１Ｇは、背面台紙２０Ｇの下部に箱底面形成部７０、箱正面形成部７１、箱平面形成部７２が続き、箱正面形成部７１の左右に左側面形成部７３、右側面形成部７４が続く。箱底面形成部７０及び箱平面形成部７２の左右には折り込み片７５、７６、７７、７８が設けられている。左側面形成部７３及び右側面形成部７４の左右には抜け止め付きの差し込み片３８Ｇ、４０Ｇが設けられている。箱平面形成部７２の下方にも抜け止め付きの差し込み片３５Ｇが設けられている。一方、背面台紙２０Ｇの側には水平スロット２１Ｇが１本、垂直スロット２２Ｇ、２３Ｇが２本、形成されている。
【００５８】
パッケージ完成時には、左側面形成部７３及び右側面形成部７４の差し込み片３８Ｇ、４０Ｇが垂直スロット２２Ｇ、２３Ｇに挿入され、箱平面形成部７２の差し込み片３５Ｇが水平スロット２１Ｇに挿入される。その結果、立方体の箱形ポケットが形成される。この箱形ポケットは、例えば付属品（例えば、コード類）を収納するのに使用される。
【００５９】
なお、以上の各実施例においては、差し込み片は１辺に１本設けているが、１辺に複数設けることもできる。その場合、スリットも差し込み片の数だけ必要になるのはもちろんである。また、各実施例を通じて、構造上支障がなければ、差込み片やフラップ片の位置は上下左右自由に変更することができる。さらに、実施例５〜８では箱形ポケットを収納ケースの裏側に設けているが、構造上支障がなければ、表側に設けてもよいし、側部であってもよい。
【図面の簡単な説明】
【００６０】
【図１】本発明の第１実施例に係るブリスターパックの斜視図である。
【図２】（ａ）は、第１実施例に係るブリスターパックの組立過程を示す背面図、（ｂ）は、組立後の背面図である。
【図３】（ａ）は、第２実施例に係るブリスターパックの組立過程を示す背面図、（ｂ）は、組立後の背面図である。
【図４】（ａ）は、第３実施例に係るブリスターパックの組立過程を示す背面図、（ｂ）は、組立後の背面図である。
【図５】（ａ）は、第４実施例に係るブリスターパックの組立過程を示す背面図、（ｂ）は、組立後の背面図である。
【図６】本発明のブリスターパックの第５実施例である。（ａ）は、ポケット部を有するブリスターパックの斜視図、（ｂ）は、ポケット部の背面図である。
【図７】本発明のブリスターパックの第５実施例である。（ａ）は、ポケット部を有するブリスターパックの斜視図、（ｂ）は、ポケット部の背面図である。
【図８】ポケット部の第７実施例である。（ａ）は、ポケット部を有するブリスターパックの背面で、ポケット部のみを展開した展開図、（ｂ）は、ポケット部の背後から見た斜視図である。
【図９】ポケット部の第８実施例である。（ａ）は、ポケット部を有するブリスターパックの背面で、ポケット部のみを展開した展開図、（ｂ）は、ポケット部の背後から見た斜視図である。
【符号の説明】
【００６１】
１０〜１０Ｅ  収納ケース
１１   販売商品を収納可能な窪み
２０〜２０Ｅ  背面台紙
３０〜３０Ｅ  追加情報を記載したシート
３１〜３１Ｅ  ポケット部
３３，３４；４２；４６，４７  プラスチックシートのフラップ片
３５；３７，３９；１６，１８  抜け止め
３６；３８，４０；３８Ｂ，４０Ｂ；１７，１９；３８Ｄ，４０Ｄ３８Ｅ，４０Ｅ    差し込み片
２１；２１Ａ，２２，２３；２２Ｂ，２３Ｂ；２１Ｃ，４３，４４；６０，６１；６０Ｅ，６１Ｅ  スリット
【図１】
0004597795.tif 000002
【図２】
0004597795.tif 000003
【図３】
0004597795.tif 000004
【図４】
0004597795.tif 000005
【図５】
0004597795.tif 000006
【図６】
0004597795.tif 000007
【図７】
0004597795.tif 000008
【図８】
0004597795.tif 000009
【図９】
0004597795.tif 000010